(57)【要約】【課題】  人物の顔画像をよりきめ細かく画像処理できるようにする。【解決手段】  制御部１は、タッチ表示部６に人物の顔を含む画像が表示されている状態においてタッチ操作が行われた場合に、タッチ操作のタッチ位置によって指定される人物の顔の部位を判別し、その部位に応じて異なる画像処理（メイクアップ処理）をその部位に対して実行する。例えば、タッチ操作によって指定された部位が肌であれば、その画像部分に対して露出補正、彩度や明度の補正、ソフトフォーカス補正などを行うことによって、皺、肌荒れなどを目立ちにくくする画像処理を実行する。【選択図】  図１
2017004258.tif 000002
【特許請求の範囲】
【請求項１】
人物の顔を含む画像を表示する表示手段とタッチ操作手段とを備える画像処理装置であって、
前記タッチ操作手段上でのタッチ操作を検出するタッチ検出手段と、
前記表示手段に表示されている人物の顔を含む画像内において、前記タッチ検出手段により検出されるタッチ操作のタッチ位置が人物の顔領域内であるか否かを判別又はそのタッチ位置によって指定される顔の部位を判別する判別手段と、
前記判別手段によって判別される人物の顔領域内であるか否か又は顔の部位に応じて異なる画像処理をその顔領域又は部位に対して実行する画像処理手段と、
を備えることを特徴とする画像処理装置。
【請求項２】
前記判別手段は、前記タッチ検出手段により検出されるタッチ操作のタッチ位置が人物の顔領域内であるか否かを判別又はそのタッチ位置によって指定される顔の部位を判別する他に、前記顔の部位を判別した場合にその部位内の位置又は状態を、更に判別し、
前記画像処理手段は、前記判別手段によって判別される人物の顔領域内であるか否か又は顔の部位とその部位内の位置又は状態に応じて異なる画像処理をその顔領域又は部位に対して実行する、
ことを特徴とする請求項１に記載の画像処理装置。
【請求項３】
前記画像処理手段は、前記タッチ検出手段により検出されるタッチ操作の種類が同一であっても、前記判別手段により判別される人物の顔領域内であるか否か又は顔の部位に応じて異なる画像処理をその顔領域又は部位に対して実行する、
ことを特徴とする請求項１に記載の画像処理装置。
【請求項４】
前記画像処理手段は、前記判別手段により判別される人物の顔領域内であるか否か又は顔の部位が同一であっても、前記タッチ検出手段により検出されるタッチ操作の種類が異なる場合にそのタッチ操作の種類に応じて異なる画像処理をその顔領域又は部位に対して実行する、
ことを特徴とする請求項１に記載の画像処理装置。
【請求項５】
前記判別手段は、前記タッチ検出手段により検出されるタッチ操作のタッチ位置が人物の顔領域内であるか否かを判別又はそのタッチ位置によって指定される顔の部位を判別する他、その人物の属性を更に判別し、
前記画像処理手段は、前記判別手段により判別された人物の顔領域内であるか否か又は顔の部位と人物の属性に応じて異なる画像処理をその顔領域又は部位に対して実行する又はその実行を禁止する、
ことを特徴とする請求項１に記載の画像処理装置。
【請求項６】
前記表示手段に表示されている人物の顔を含む画像内から人物の顔を検出する顔検出手段と、
前記顔検出手段によって検出される人物の顔を前記表示手段に拡大表示する制御を行う第１の表示制御手段と、
更に備える、
ことを特徴とする請求項１乃至５のいずれか１項に記載の画像処理装置。
【請求項７】
前記表示手段上において、前記タッチ検出手段により検出されるタッチ操作のタッチ位置とは異なる位置に、前記画像処理手段が実行する画像処理の内容を前記表示手段に表示する制御を行う第２の表示制御手段を、更に備える、
ことを特徴とする請求項１乃至６のいずれか１項に記載の画像処理装置。
【請求項８】
前記表示手段上において、前記タッチ検出手段により検出されるタッチ操作のタッチ位置とは異なる位置に、前記タッチ検出手段により検出されるタッチ操作のタッチ位置を含む顔の部分を前記表示手段に表示する制御を行う第３の表示制御手段を、更に備える、
ことを特徴とする請求項１乃至７のいずれか１項に記載の画像処理装置。
【請求項９】
前記判別手段は、前記検出手段により検出されるタッチ操作のタッチ位置が人物の顔から外れた他の位置であるか否かを、更に判別し、
前記画像処理手段は、前記判別手段によってタッチ位置が人物の顔から外れた他の位置であることが判別された場合に、前記画像処理の実行を禁止する、
ことを特徴とする請求項１乃至８のいずれか１項に記載の画像処理装置。
【請求項１０】
人物の顔を撮像する撮像手段を、更に備え、
前記表示手段は、前記撮像手段により撮像された人物の顔を含む画像を表示し、
前記判別手段は、前記表示手段に表示されている撮像画像内において、前記タッチ検出手段により検出されるタッチ操作のタッチ位置が人物の顔領域内であるか否かを判別又はそのタッチ位置によって指定される顔の部位を判別する、
ことを特徴とする請求項１乃至９のいずれか１項に記載の画像処理装置。
【請求項１１】
前記表示手段は、記録されている画像を表示し、
前記判別手段は、前記表示手段に表示されている記録画像内において、前記検出手段により検出されるタッチ操作のタッチ位置が人物の顔領域内であるか否かを判別又はそのタッチ位置によって指定される顔の部位を判別する、
ことを特徴とする請求項１乃至９のいずれか１項に記載の画像処理装置。
【請求項１２】
人物の顔を含む画像を表示する表示手段とタッチ操作手段とを備える画像処理装置であって、
前記タッチ操作手段上でのタッチ操作を検出する検出手段と、
前記表示手段に表示している人物の顔を含む画像内において、前記検出手段により検出されるタッチ操作のタッチ位置によって指定される人物の属性を判別する判別手段と、
前記判別手段により判別される人物の属性に応じて異なる画像処理をその人物の顔に対して実行する画像処理手段と、
ことを特徴とする画像処理装置。
【請求項１３】
前記判別手段は、前記タッチ検出手段により検出されるタッチ操作のタッチ位置によって指定される人物の顔の部位を更に判別し、
前記画像処理手段は、前記判別手段により判別される人物の属性とその顔の部位に応じて異なる画像処理をその顔の部位に対して実行する、
ことを特徴とする請求項１２に記載の画像処理装置。
【請求項１４】
人物の顔を含む画像を表示する表示手段とタッチ操作手段とを備える画像処理装置における画像処理方法であって、
前記タッチ操作手段上でのタッチ操作を検出する処理と、
前記表示手段に表示されている人物の顔を含む画像内において、人物の顔を含む画像内において、前記検出されるタッチ操作のタッチ位置が人物の顔領域内であるか否かを判別又はそのタッチ位置によって指定される顔の部位を判別する処理と、
前記判別される人物の顔領域内であるか否か又は顔の部位に応じて異なる画像処理をその顔領域又は部位に対して実行する処理と、
を含むことを特徴とする画像処理方法。
【請求項１５】
人物の顔を含む画像を表示する表示手段とタッチ操作手段とを備える画像処理装置のコンピュータに対して、
前記タッチ操作手段上でのタッチ操作を検出する機能と、
前記表示手段に表示されている人物の顔を含む画像内において、人物の顔を含む画像内において、前記検出されるタッチ操作のタッチ位置が人物の顔領域内であるか否かを判別又はそのタッチ位置によって指定される顔の部位を判別する機能と、
前記判別される人物の顔領域内であるか否か又は顔の部位に応じて異なる画像処理をその顔領域又は部位に対して実行する機能と、
を実現させるためのプログラム。
【請求項１６】
人物の顔を含む画像を表示する表示手段とタッチ操作手段とを備える画像処理装置における画像処理方法であって、
前記タッチ操作手段上でのタッチ操作を検出する処理と、
前記表示手段に表示している人物の顔を含む画像内において、前記検出されるタッチ操作のタッチ位置によって指定される人物の属性を判別する処理と、
前記判別される人物の属性に応じて異なる画像処理をその人物の顔に対して実行する処理と、
を含むことを特徴とする画像処理方法。
【請求項１７】
人物の顔を含む画像を表示する表示手段とタッチ操作手段とを備える画像処理装置のコンピュータに対して、
前記タッチ操作手段上でのタッチ操作を検出する機能と、
前記表示手段に表示されている人物の顔を含む画像内において、前記検出されるタッチ操作のタッチ位置によって指定される人物の属性を判別する機能と、
前記判別される人物の属性に応じて異なる画像処理をその人物の顔に対して実行する機能と、
を実現させるためのプログラム。
【発明の詳細な説明】
【技術分野】
【０００１】
本発明は、人物の顔を含む画像を処理する画像処理装置、画像処理方法及びプログラムに関する。
【背景技術】
【０００２】
最近、デジタルカメラやビデオカメラなどの撮像装置にあっては、自分自身を撮影する機会が増えてきている。特に、女性にあってはより美しく写りたいという要望が強いため、人物撮影時に被写体（例えば、撮影者）の顔を検出し、検出した顔が女性であると判断すると、例えば、露出補正、ソフトフォーカス補正、美肌補正、人物を痩身にみせる補正などの処理を施す撮像装置が、特許文献１のように提案されている。しかしながら、上述の処理は、女性の顔であると判断した場合に全自動で一律決められた強度で補正を行うため、撮影者又は被写体の所望する強度で補正処理を行うことはできないという問題があった。このように撮影者又は被写体が所望する強度で補正処理を行うには、それぞれの補正処理について手動で補正強度を設定して撮影する必要があるため、従来においては、撮影者が複数種の補正処理の補正強度をより簡単に設定することを可能とする技術として、特許文献２が開示されている。
【先行技術文献】
【特許文献】
【０００３】
【特許文献１】特許第５２３９１２６号公報
【特許文献２】特許第５０８３１１６号公報
【発明の概要】
【発明が解決しようとする課題】
【０００４】
上述した特許文献２は、キー操作によって設定した美顔レベルに応じて、複数種の補正処理の補正強度を設定することができ、人物の顔に対して美顔レベル毎に異なる画像処理を行うことが可能となる。
ところで、美白やパッチリ目を好まない人、皺よりも痣を気にする人などのように美顔の意識は、人物によって異なり、更に、同じ人物であっても口元が綻んでいる方が良い場合と引き締まっている方が良い場合、顔全体の美顔よりも一部だけを変えたい場合などがある。
【０００５】
本発明の課題は、人物の顔画像をよりきめ細かく画像処理できるようにすることである。
【課題を解決するための手段】
【０００６】
上述した課題を解決するために本発明は、
人物の顔を含む画像を表示する表示手段とタッチ操作手段とを備える画像処理装置であって、
前記タッチ操作手段上でのタッチ操作を検出するタッチ検出手段と、
前記表示手段に表示されている人物の顔を含む画像内において、前記タッチ検出手段により検出されるタッチ操作のタッチ位置が人物の顔領域内であるか否かを判別又はそのタッチ位置によって指定される顔の部位を判別する判別手段と、
前記判別手段によって判別される人物の顔領域内であるか否か又は顔の部位に応じて異なる画像処理をその顔領域又は部位に対して実行する画像処理手段と、
を備えることを特徴とする。
【発明の効果】
【０００７】
本発明によれば、人物の顔画像をよりきめ細かく画像処理することができる。
【図面の簡単な説明】
【０００８】
【図１】画像処理装置として適用した撮像装置の基本的な構成要素を示したブロック図。
【図２】（１）、（２）は、ライブビュー画像を見ながら撮影者自身を撮影する自分撮りが可能な構成の撮像装置（デジタルカメラ）を示した外観図。
【図３】メイクアップテーブル３ｃを説明するための図。
【図４】メイクアップテーブル３ｃに記憶されている各種のメイクアップ処理の内容を具体的に説明するための図。
【図５】撮影モード（ＲＥＣモード）に切り替えられた際に実行開始される動作を示したフローチャート。
【図６】メイクアップ処理（図５のステップＡ６）を詳述するためのフローチャート。
【図７】（１）〜（３）は、メイクアップ処理に移行する過程での画像表示例を示した図。
【図８】第２実施形態におけるメイクアップテーブル３ｃを説明するための図。
【図９】第２実施形態におけるメイクアップ処理（図５のステップＡ６）を詳述するためのフローチャート。
【発明を実施するための形態】
【０００９】
以下、本発明の実施の形態について、図面を参照して詳細に説明する。
（第１実施形態）
先ず、図１〜図７を参照して本発明の第１実施形態を説明する。
本実施形態では、タッチ表示部に人物の顔を含む画像が表示されている状態で、タッチ操作された位置にあたる人物の顔の部位に応じたメイクアップ処理を、表示されている人物の顔の部位に対して実行することを特徴としている。タッチ操作は１回タッチして離すシングルタップだけでなく、タッチ状態を維持したままタッチ位置を移動させるなぞり操作の軌跡に応じてメイクアップ処理を実行することできめ細かい画像処理を可能とする。
本実施形態は、画像処理装置として撮像装置に適用した場合を例示したもので、図１は、撮像装置の基本的な構成要素を示したブロック図である。
この撮像装置は、被写体を高精細に撮影可能な撮像機能、記録保存されている撮影済み画像（記録画像）を任意に読み出して再生する画像再生機能などを備えたデジタルカメラである。制御部１は、電源部（二次電池）２からの電力供給によって動作し、記憶部３内に格納されている各種のプログラムに応じてこの撮像装置（デジタルカメラ）の全体動作を制御するもので、この制御部１には図示しないＣＰＵ（中央演算処理装置）やメモリなどが設けられている。
【００１０】
記憶部３は、例えば、ＲＯＭ、フラッシュメモリなどを有する構成で、後述する図５及び図６に示した動作手順に応じて本実施形態を実現するためのプログラムや各種のアプリケーションなどが格納されているプログラムメモリ３ａと、フラグなどのデータを一時記憶するワークメモリ３ｂ、後述するメイクアップテーブル３ｃなどを有している。なお、記憶部３は、例えば、複数枚の撮影済み画像（保存画像群）を記憶可能なＳＤカード、ＩＣカードなど、着脱自在な可搬型メモリ（記録メディア）を含む構成であってもよく、図示しないが、通信機能を介してネットワークに接続されている状態においては所定のサーバ装置側の記憶領域を含むものであってもよい。なお、ＳＤカードなどの可搬型メモリは、高画質の撮影済み画像（記録画像）を複数記憶するメモリである。
【００１１】
操作部４は、図示省略したが、各種のハードキーとして、電源オン／オフを行う電源キーと、撮影が可能なモード（ＲＥＣモード）と撮影済み画像（記録画像）を再生するモード（ＰＬＡＹモード）を切り替えたり、ＲＥＣモード内において画像内の人物の顔をメイクアップする処理を実行するメイクアップモードに切り替えたりするモード変更キーと、撮影を指示するレリーズキーなど、各種のハードキーを備えたもので、制御部１は、このハードキーの操作に応じて、例えば、モード変更処理、撮影処理などを実行する。
【００１２】
撮像部５は、図示しないが、撮影レンズ５ａからの被写体像が撮像素子（ＣＣＤやＣＭＯＳなど）に結像されることにより被写体を高精細に撮像することが可能なもので、撮影レンズ、撮像素子、各種のセンサ、アナログ処理部、デジタル処理部を有している。この撮像部５によって撮像された画像に対して制御部１は、ホワイトバランス調整、色補間、階調変換、輪郭強調などの通常の画像処理を施すが、特に、上述のメイクアップモードでは、人物の顔を化粧したり、整形したりする画像加工を行うメイクアップ処理（画像処理）を施すようにしている。更に、制御部１は、画像処理した画像に対して画像圧縮処理を施した後、記憶部３の記録メディアに記録保存させる。
【００１３】
タッチ表示部６は、画像を表示する高精細液晶、有機ＥＬ（Electro  Luminescence）などの表示部６ａと、透明タッチパネルを有するタッチ操作部６ｂとを備え、表示部６ａ上にタッチ操作部６ｂを積層配置したタッチスクリーンを構成し、各種のソフトウェアキー（アイコン、タッチキー）を割り当て配置してその機能名を表示したり、指などによるタッチ操作を感知してそのタッチ操作に応じた操作信号を入力したりする。タッチ表示部６の表示画面は、撮像された画像（ライブビュー画像）をリアルタイムに表示するモニタ画面（ライブビュー画面）となったり、撮影済み画像（記録画像）を再生する再生画面となったりする。
【００１４】
タッチ操作部６ｂは、例えば、静電容量方式、あるいは抵抗皮膜方式を採用したもので、制御部１は、タッチ操作部６ｂからの接触有無信号（タッチオン信号／タッチオフ信号）に基づいてタッチ操作部６ｂ上の座標位置（接触位置）、接触方向、接触距離、接触時間を検出してタッチ操作の有無及びタッチ操作の種類を判別する。なお、タッチ操作の種類としては、任意の位置を接触してすぐに離す操作の“シングルタップ”、接触し続けて任意の方向に移動する“なぞり”などの操作である。
【００１５】
なお、上述のタッチ操作とは、タッチ操作部６ｂ上において指やペンで直接タッチする接触操作に限らず、その接触操作に近似する操作として、例えば、指やペンの接近や接近移動による静電容量変化などに応じて指やペンの位置を検出する近接操作を含むことを意味している。つまり、接触操作を検出する接触型タッチパネルに限らず、近接型タッチパネルやデバイスであってもよいが、本実施形態にあっては、タッチ操作として、接触型タッチパネル上での接触操作を例示した場合を示している。
【００１６】
図２は、ライブビュー画像を見ながら撮影者自身を撮影するいわゆる自分撮りが可能な構成の撮像装置（デジタルカメラ）の外観図を示した図である。
撮像装置（デジタルカメラ）を構成する筐体１１は、薄型矩形の表示ブロック１１ａと、この表示ブロック１１ａの周囲を囲む矩形枠状のフレームブロック１１ｂと、表示ブロック１１ａとフレームブロック１１ｂとを連結するレンズブロック１１ｃを有する構成で、表示ブロック１１ａの一端中央部（図示の例では上端中央部）とレンズブロック１１ｃの一端中央部（図示の例では下端中央部）とは、横回転用のヒンジ部（図示省略）を介して横方向に回転可能に取り付けられている。また、フレームブロック１１ｂの両端部内側（図２（１）の例では左右側上部内側）とレンズブロック１１ｃの両端部（図示の例では左右側部）とは、縦回転用のヒンジ部（図示省略）を介して縦方向に回転可能に取り付けられている。
【００１７】
表示ブロック１１ａにはその中央部分にタッチ表示部６が配設され、レンズブロック１１ｃの中央部には撮像部５を構成する撮影レンズ５ａが配設されており、上述の横回転用のヒンジ部を介して表示ブロック１１ａをレンズブロック１１ｃに対して１８０°回転させることにより、タッチ表示部６及び撮影レンズ５ａを同じ方向に向けたり、逆方向に向けたりすることが可能となっている。なお、表示ブロック１１ａとレンズブロック１１ｃを一体化して本体ブロックとし、フレームブロック１１ｂの両端部内側（図２（１）の例では左右側上部内側）と本体ブロックの両端部（図示の例では左右側部）とが、縦回転用のヒンジ部（図示省略）を介して縦方向に回転可能に取り付けられるようにしてもよい。図２（１）は、自分撮りを可能とするためにタッチ表示部６及び撮影レンズ５ａを同じ方向に向けた状態において、表示ブロック１１ａに対してフレームブロック１１ｂを閉じた状態、図２（２）は、表示ブロック１１ａに対してフレームブロック１１ｂを開いた状態を示している。
【００１８】
図３は、メイクアップテーブル３ｃを説明するための図である。
メイクアップテーブル３ｃは、画像内の人物の顔に対するメイクアップ処理（化粧したり、整形したりする画像処理）時に使用されるテーブルであり、人物の顔を構成する各部位に対応付けて各種のメイクアップ処理をアクセスする情報を記憶する構成となっている。メイクアップテーブル３ｃは、「人物の顔の部位」、「部位内の位置又は状態」、「人物の属性：女性」、「人物の属性：男性」の各項目を有し、その内容はユーザ操作によって任意に変更可能となっている。
【００１９】
「人物の顔の部位」は、メイクアップ処理の対象となる顔の部位を記憶する項目で、図示の例は、“肌”、“目”、“眉毛”、“睫”、“眉口”、“歯”を処理対象（選択候補）として記憶した場合である。制御部１は、画像内の人物の顔がタッチ操作された際に、その最初のタッチ位置に該当する顔の部位を判別して、メイクアップテーブル３ｃを参照し、その「人物の顔の部位」で示される“肌”、“目”、“眉毛”、“睫”、“眉口”、“歯”のうち、そのいずれかの部位へのタッチ操作であれば、その部位に対応付けられているメイクアップ処理を実行するようにしている。
【００２０】
「部位内の位置又は状態」は、「人物の顔の部位」で示される各部位に対応付けてその部位内の位置又は状態を記憶する項目であり、図示の例は、「人物の顔の部位」の“肌”に対応して、その部位の状態を示す情報として“皺、肌荒れ、毛穴など”、“シミ、くすみ、痣など”を記憶した場合である。また、“目”に対応して、その部位内の位置を示す情報として“目の内側”、“目の外側”を記憶した場合である。なお、図示の例では、“眉毛”、“睫”、“眉口”、“歯”に対応してその「部位内の位置又は状態」は記憶されていないが、「部位内の位置又は状態」を記憶するようにしてもよい。制御部１は、人物の顔内へのタッチ操作を検出した際に、そのタッチ位置が“肌”であれば、その状態を判別し、“目”であれば、その位置を判別して、メイクアップテーブル３ｃを参照し、そのいずれかの「部位内の位置又は状態」に該当しているかを判断するようにしている。
【００２１】
「人物の属性：女性」、「人物の属性：男性」は、人物の属性として性別毎にメイクアップ処理をアクセスする情報を記憶する項目で、図示の例は、「人物の顔の部位」が“肌”の場合で、その「部位内の位置又は状態」が“皺、肌荒れ、毛穴など”の場合には、「人物の属性：女性」、「人物の属性：男性」に対応して、共通のメイクアップ処理として“肌処理（１）”を記憶し、また、“シミ、くすみ、痣など”の場合には、「人物の属性：女性」、「人物の属性：男性」に対応して、共通の処理として“肌処理（２）”を記憶した場合を示している。また、「人物の顔の部位」が“目”の場合で、「部位内の位置又は状態」が“目の内側”の場合には、「人物の属性：女性」に対応して、“目処理（１）”を記憶し、「人物の属性：男性」に対応して、女性とは異なる他の処理として“目処理（３）”を記憶した場合を示している。また、“目の外側”の場合には、「人物の属性：女性」、「人物の属性：男性」に対応して、共通の処理として“目処理（２）”を記憶した場合を示している。
【００２２】
更に、「人物の顔の部位」が“眉毛”の場合には、「人物の属性：女性」に対応して、“眉毛処理（１）”を記憶し、「人物の属性：男性」に対応して、女性とは異なる他の処理として“眉毛処理（２）”を記憶した場合を示している。また、「人物の顔の部位」が“睫”の場合には、「人物の属性：女性」に対応して、“睫処理”のメイクアップ処理を記憶し、「人物の属性：男性」に対応して、メイクアップ処理を記憶していない場合を示している。「人物の顔の部位」が“口”の場合には、「人物の属性：女性」に対応して、“口処理（１）”を記憶し、「人物の属性：男性」に対応して、女性とは異なる他の処理として“口処理（２）”を記憶した場合を示している。「人物の顔の部位」が“歯”の場合には、「人物の属性：女性」、「人物の属性：男性」に対応して、共通の処理として“歯処理”を記憶した場合を示している。
【００２３】
制御部１は、人物の顔を含むライブビュー画像がタッチ表示部６に表示されている状態において、この顔内の所定の部位がタッチ操作された場合に、そのタッチ位置に該当する人物の属性とその顔の部位を判別すると共に、その部位内へのタッチ位置又は状態を判別し、その判別結果（部位、部位内へのタッチ位置又は状態）を基にメイクアップテーブル３ｃを検索することによって該当するメイクアップ処理を特定し、このメイクアップ処理をその部位に対して実行するようにしている。
【００２４】
図４は、メイクアップテーブル３ｃに記憶されている各種のメイクアップ処理の内容を具体的に説明するための図である。
“肌処理（１）”、“肌処理（２）”は、撮像画像に対して施されるメイクアップ処理（美肌処理）であり、例えば、画像の露出を補正したり、彩度、明度を補正する処理を行うことによって肌を白くしたり、ソフトフォーカスなどを行うことによって皺、肌荒れ、シミが目立ちにくくしたりするように画像加工を施すもので、特に、“肌処理（１）”は、皺、肌荒れなどを目立たなくする処理であるのに対し、“肌処理（２）”は、シミ、くすみなどを目立たなくする処理である。“目処理（１）”、“目処理（２）”、“目処理（３）”は、目を変形したり、目の彩度、明度などを補正したりするもので、特に、“目処理（１）”は、目をパッチリと開かせる処理であり、“目処理（２）”は、白目の彩度、明度などを補正することにより、白目の充血を軽減する処理であり、“目処理（３）”は、目つきを鋭くする処理である。
【００２５】
“眉毛処理（１）”、“眉毛処理（２）”は、眉毛を変形したり、眉毛の彩度、明度などを補正したりするもので、特に、“眉毛処理（１）”は、眉毛の無駄毛をなくして、細くする処理であり、“眉毛処理（２）”は、眉毛を太くする処理である。その他、“睫処理”は、睫を長くしてカールさせる処理であり、“口処理（１）”は、口を小さくして口元を綻ばせる処理であり、“口処理（２）”は、口元を引き締める処理である。“歯処理”は、黄ばんだ歯を白くする処理である。なお、メイクアップ処理としては、上述の例に限らず、例えば、上瞼にアイシャドーを付けたり、唇に口紅を付けたりするようにしてもよい。
これらのメイクアップ処理は公知の技術であり、本実施形態ではその公知技術を利用するようにしているため、その具体的な説明については省略するものとする。
【００２６】
次に、第１実施形態における撮像装置（デジタルカメラ）の動作概念を図５及び図６に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。このことは後述する他の実施形態においても同様であり、記録媒体の他に、伝送媒体を介して外部供給されたプログラム／データを利用して本実施形態特有の動作を実行することもできる。なお、図５は、撮像装置（デジタルカメラ）の全体動作のうち、本実施形態の特徴部分の動作概要を示したフローチャートであり、この図５のフローから抜けた際には、全体動作のメインフロー（図示省略）に戻る。
【００２７】
図５は、撮影モード（ＲＥＣモード）に切り替えられた際に実行開始される動作を示したフローチャートであり、以下、その動作を図７（１）〜（３）に示す表示例を参照しながら説明するものとする。なお、図７は、メイクアップ処理に移行する過程での画像表示例を示した図である。
先ず、制御部１は、撮像部５から取得した撮像画像をタッチ表示部６にライブビュー画像として表示させる動作を開始する（ステップＡ１）。図７（１）は、人物の顔を含むライブビュー画像の表示例を示している。この状態においてメイクアップモードへの移行を指示するモード切替操作が行われたかを調べたり（ステップＡ２）、メイクアップモードから抜けるモード切替操作が行われたかを調べたり（ステップＡ７）、レリーズキーによる撮影指示操作が行われたかを調べたり（ステップＡ９）、ＲＥＣモードを終了させるモード切替操作が行われたかを調べたりする（ステップＡ１１）。
【００２８】
いま、メイクアップモードへの移行を指示するモード切替操作が行われると（ステップＡ２でＹＥＳ）、その操作時にライブビュー画像として表示されている撮像画像を取得して画像解析を行い、その画像内の人物の顔領域を検出する顔検出処理（ステップＡ３）を行った後、この検出した顔を中心として撮像画像を拡大表示させる（ステップＡ４）。なお、この顔検出処理は、カメラにおいて一般的に用いられている技術であり、本実施形態ではその周知技術を利用するようにしているため、その具体的な説明については省略するものとする。
【００２９】
図７（２）は、図７（１）に示したライブビュー画像内の人物の顔を拡大表示した場合を示している。この場合、例えば、画面の端に人物の顔が写っているような場合には、その顔が画面の中心に来るように人物の位置を一時的に移動するようにしてもよい。このように人物の顔がタッチ表示部６に拡大表示されている状態において、そのタッチ表示部６へのタッチ操作が行われたかを調べ（ステップＡ５）、タッチ操作が行われなければ（ステップＡ５でＮＯ）、上述のステップＡ７に移るが、タッチ操作が行われたときには（ステップＡ５でＹＥＳ）、メイクアップ処理に移る（ステップＡ６）。すなわち、人物の顔が拡大表示（顔拡大表示）されているタッチ画面上においてタッチ操作が行われたときには、メイクアップ処理の対象がユーザ指定されたものと判断してメイクアップ処理（画像処理）に移る。
【００３０】
図６は、メイクアップ処理（図５のステップＡ６）を詳述するためのフローチャートである。
先ず、制御部１は、タッチ操作のタッチ位置は人物の顔領域内であるかを調べる（ステップＢ１）。いま、人物ではない領域がタッチ操作されたり、人物へのタッチ操作であっても顔ではない領域がタッチ操作されたりした場合には（ステップＢ１でＮＯ）、ステップＢ２に移り、タッチ操作は継続しているか（タッチ中であるか）を調べる。この場合、タッチ位置が移動しているか否かに拘わらず、タッチ操作が継続していれば（ステップＢ２でＹＥＳ）、最初のステップＢ１に戻る。
【００３１】
図７（３）は、図７（２）に示したように人物の顔領域が拡大表示されている状態において、その顔の“肌”の部分、図示の例では、顎上の頬（肌）の部分がユーザの人差し指によってタッチされた場合を例示したもので、図示のようにそのタッチ位置が人物の顔の領域内であれば（ステップＢ１でＹＥＳ）、そのときの撮像画像を取得して画像解析を行い、タッチ位置の顔、装飾品、髪型、衣服などを総合的に判断してその人物の属性として性別を判別する（ステップＢ３）。更に、撮像画像を解析して顔内のどの部位がタッチされたのかを判別する（ステップＢ４）。
【００３２】
ステップＢ４の判別処理は、タッチ操作の継続中に（ステップＢ２でＹＥＳ）、所定のタイミング毎に繰り返し実行されるもので、その判別結果に基づいて前回と同じ部位か、つまり、今回のタイミングで判別した部位は、前回のタイミングで判別した部位と同一であるか否かを調べる（ステップＢ５）。このステップＢ５は、タッチされた部位がタッチ位置の移動によって変化していないかを調べるもので、例えば、なぞり操作をしている最中に、最初のタッチ位置である肌に対してメイクアップを行っているのにもかかわらず目へ指を移動させてしまったような場合には、不用意に目へのメイクアップ処理を行わないように、前回の部位と異なる場合は（ステップＢ５でＮＯ）、このタッチ操作に対するメイクアップ処理を無効とするためにステップＢ２に移る。
【００３３】
一方、今回の部位が前回の部位と同じであれば（ステップＢ５でＹＥＳ）、その部位内のタッチ位置又は状態を判別する処理に移る（ステップＢ６）。例えば、タッチ位置の部位が“肌”であれば、“肌”を処理対象として、その部位内の状態として、皺、肌荒れ、シミ、くすみなどを判別し、タッチ位置の部位が“目”であれば、“目”を処理対象として、その部位内のタッチ位置として、“目の内側”、“目の外側”を判別する。なお、この判別処理は、一般的に用いられている公知の技術であり、本実施形態ではその周知技術を利用するようにしているため、その具体的な説明については省略するものとする。
【００３４】
次に、今回のタイミングで判別した部位内の位置又は状態と、前回のタイミングで判別した部位内の位置又は状態とを比較して、両者は同一であるかを調べる（ステップＢ７）。このステップＢ７は、タッチ位置の移動によって部位内の位置又は状態が変化したか否かを調べるもので、例えば、皺が有る部分から皺が無い部分へ、目の内側から目の外側へ、のように同じ部位内へのタッチであっても、指を移動させた場合には、前回の部位内の位置又は状態と異なるため（ステップＢ７でＮＯ）、この場合のタッチ操作に対するメイクアップ処理を無効とするためにステップＢ２に移る。
【００３５】
一方、前回の部位内のタッチ位置又は状態と同じであれば（ステップＢ７でＹＥＳ）、上述の各判別結果（人物の属性、顔の部位、部位内の位置又は状態）に基づいて、メイクアップテーブル３ｃを参照して該当するメイクアップ処理を検索する（ステップＢ８）。ここで、該当するメイクアップ処理が無ければ（ステップＢ９でＮＯ）、例えば、人物の属性が“男性”で、顔の部位が“睫”であれば、該当するメイクアップ処理は存在していないので、ステップＢ２に移るが、該当するメイクアップ処理が有れば（ステップＢ９でＹＥＳ）、例えば、人物の属性が“女性”、顔の部位が“肌”、部位内の状態が“皺、肌荒れ、毛穴など”であれば、該当するメイクアップ処理として“肌処理（１）”が存在しているので、次のステップＢ１０に移り、顔拡大表示上に別ウィンドウを開き、タッチ操作時にユーザの指によって隠れている画像部分を、この別ウィンドウ内に更に拡大表示させると共に、該当するメイクアップ処理の内容を顔拡大表示の所定領域内に文字列メッセージを重畳して案内表示させる。
【００３６】
例えば、図７（３）に示すように、顎上の頬（肌）の部分がユーザの指でタッチされた場合に、その指によって隠されている顎上の頬の画像部分を特定してその画像部分を、顔拡大表示上の別ウィンドウ内に更に拡大表示させると共に、該当するメイクアップ処理“肌処理（１）”の内容として文字列メッセージ“皺、肌荒れなどを目立たなくする”を顔拡大表示の所定領域内に案内表示させる。なお、指の接触領域とその周辺領域を含む画像部分を指に隠れている画像部分としてもよい。また、案内表示する文字列メッセージは、図４に示した処理内容と同じであるが、これに限らず、処理内容を示すアイコンを表示するようにしてもよい。
【００３７】
次に、該当するメイクアップ処理の実行に移るが（ステップＢ１１）、そのメイクアップ処理が、例えば、“肌処理（１）”であれば、顔の肌を処理対象として、その画像部分に対して露出補正、彩度や明度の補正、ソフトフォーカス補正などを行うことによって、皺、肌荒れなどを目立ちにくくする画像処理を実行する。また、“目処理（２）”であれば、白目の画像部分に対して彩度、明度などを補正することによって白目の充血を軽減する画像処理を実行する。これによってメイクアップ処理を行うと、それ以降は顔拡大表示に代えてメイクアップ後の画像に切り替え表示させる（ステップＢ１２）。
なお、メイクアップ処理を実行する位置は、タッチ操作のタッチ位置を点として検出して、その点を中心とした所定の範囲としてもよいし、タッチ操作が指により行われる場合は、タッチ位置を面として検出し、その面を範囲としてもよいし、部位に応じて、適宜その範囲を変えてもよい。タッチ操作が“なぞり”の場合は、連続して移動するタッチ位置であるなぞりの軌跡にメイクアップ処理を実行するようにしてもよい。
【００３８】
その後、ステップＢ１３に移り、タッチ操作は開放されたか（指が離されたか）を調べるが、タッチ操作の継続中であれば（ステップＢ１３でＮＯ）、タッチ操作が解放されるまで待機状態となるため、その間、ユーザはメイクアップ後の顔拡大表示を確認することができる。いま、タッチ操作の開放された場合には（ステップＢ１３でＮＯ）、上述の別ウィンドウ表示及び案内表示を解除（消去）する処理（ステップＢ１４）を行った後、図６のフローから抜ける。
【００３９】
このようなメイクアップ処理（図５のステップＡ６）が終わると、図５のステップＡ５に戻り、人物の顔の別の部位へのメイクアップ処理を行うためのタッチ操作が行われたかを調べる。いま、人物の顔の別の部位へのメイクアップ処理を行うためのタッチ操作が行われたときには（ステップＡ５でＹＥＳ）、上述の図６のメイクアップ処理を行い、タッチ操作が行われない場合は、上述のステップＡ７に移る。
【００４０】
メイクアップモードから抜ける操作が行われたときには（ステップＡ７でＹＥＳ）、上述の顔拡大表示を解除して通常の表示状態に戻す処理（ステップＡ８）を行った後、上述のステップＡ２に戻る。また、レリーズキーによる撮影指示操作が行われたときには（ステップＡ９）、撮像画像を撮影画像に変換して圧縮記録する撮影処理（ステップＡ１０）に移るが、上述のメイクアップ処理（ステップＡ６）が施された撮像画像に対しては、メイクアップ処理後の撮像画像を撮影画像に変換して圧縮記録するようにしている。その後、上述のステップＡ２に戻る。また、ＲＥＣモードを終了させる操作が行われたときには（ステップＡ１１でＹＥＳ）、図５のフローから抜ける。
【００４１】
以上のように、第１実施形態において制御部１は、タッチ表示部６に人物の顔を含む画像が表示されている状態においてタッチ操作が行われた場合に、タッチ操作のタッチ位置によって指定される人物の顔の部位を判別し、その部位に応じて異なる画像処理（メイクアップ処理）をその部位に対して実行するようにしたので、タッチ操作により指定された部位に対してその部位に適したメイクアップ処理を実行することができると共に、顔の画像をよりきめ細かくメイクアップ処理することが可能となり、同じ人物であっても口元が綻んでいる方が良い場合と引き締まっている方が良い場合、顔全体の美顔よりも一部だけを変えたい場合などにも容易に対応することが可能となる。
【００４２】
制御部１は、タッチ操作のタッチ位置によって指定される人物の顔の部位を判別する他に、その部位内の位置又は状態を更に判別し、その部位とその部位内の位置又は状態に応じて異なるメイクアップ処理をその部位に対して実行するようにしたので、同じ部位がタッチ操作によって指定されたとしてもその部位内の位置又は状態に適したメイクアップ処理を施すことが可能となる。
【００４３】
制御部１は、タッチ操作の種類が同一であっても、顔の部位に応じて異なるメイクアップ処理をその部位に対して実行するようにしたので、異なるメイクアップ処理毎にタッチ操作の種類を変える必要はなく、同じ種類のタッチ操作（例えば、シングルタップやなぞり操作）であってタッチ操作によって指定された部位に対してその部位に適したメイクアップ処理を施すことができる。
【００４４】
制御部１は、タッチ操作のタッチ位置によって指定される人物の顔の部位を判別する他に、その人物の属性を更に判別し、その部位と人物の属性に応じて異なるメイクアップ処理をその部位に対して実行する又はその実行を禁止するようにしたので、タッチ操作により指定された部位に対してその部位及び人物の属性に適したメイクアップ処理を実行又はその実行を禁止することができる。例えば、人物の属性として性別を判別する場合に、女性は美しさを求める傾向が強く、男性はかっこよさを求める傾向が強いため、属性に応じて部位ごとにメイクアップ処理の内容を変えたり、部位によってはメイクアップ処理を禁止したりすることで、属性による嗜好の違いにも容易に対応することが可能となる。
【００４５】
タッチ表示部６に表示されている人物の顔を含む画像内から人物の顔を検出して、この人物の顔を拡大表示するようにしたので、ユーザにあっては人物の顔内の所望する部位をメイクアップの処理対象として指定する場合に、その指定操作を容易に行うことが可能となる。
【００４６】
タッチ表示部６上において、タッチ操作のタッチ位置とは異なる位置に、メイクアップ処理の内容を表示するようにしたので、ユーザにあってはどのようなメイクアップ処理が実行されるかを同一画面上で容易に確認することが可能となる。
【００４７】
タッチ表示部６上において、タッチ操作のタッチ位置とは異なる位置に、タッチ操作のタッチ位置を含む顔の部分を表示するようにしたので、タッチ操作時に指などで顔の一部が隠されてしまっても、ユーザにあってはその隠れた画像部分を同一画面上で容易に確認することが可能となる。
【００４８】
制御部１は、タッチ操作のタッチ位置が人物の顔領域から外れた他の位置であるか否かを判別し、タッチ位置が人物の顔領域から外れた場合には、メイクアップ処理の実行を禁止するようにしたので、所望する処理対象がタッチ操作によって指定されたことを前提に、メイクアップ処理を実行することが可能となる。
【００４９】
撮像部５により撮像された画像がタッチ表示部６にライブビュー画像として表示されている状態において、この撮像画像（ライブビュー画像）内において、タッチ操作のタッチ位置によって指定される顔の部位を判別するようにしたので、ライブビュー画像に対してメイクアップ処理を施すことができ、画像を記録保存する前に色々なメイクアップを試すことができる。
【００５０】
制御部１は、人物の顔を含む画像内において、タッチ操作のタッチ位置によって指定される人物の属性を判別し、その人物の属性に応じて、その人物の顔に対して異なるメイクアップ処理を実行するようにしたので、顔の画像を人物の属性に合わせて、よりきめ細かくメイクアップすることが可能となる。
【００５１】
制御部１は、タッチ操作のタッチ位置によって指定される人物の属性とその顔の部位に応じて、その顔の部位に対して異なる画像処理を実行するようにしたので、人物の属性の他、その人物の顔の部位に適したメイクアップが可能となる。
【００５２】
なお、上述した第１実施形態においては、タッチ操作として、“なぞり”、“シングルタップ”を例示したが、それに限らず、“ダブルタップ”や“ピンチアウト”などであってもよい。
【００５３】
（第２実施形態）
以下、この発明の第２実施形態について図８及び図９を参照して説明する。
なお、上述した第１実施形態においては、タッチ操作のタッチ位置によって指定される人物の顔の部位を判別すると共に、その部位内の位置又は状態を判別し、その部位内の位置又は状態に応じて異なるメイクアップ処理を実行するようにしたが、この第２実施形態においては、同じ部位が指定された場合でもタッチ操作の種類に応じて異なるメイクアップ処理を実行するようにしたものである。ここで、両実施形態において基本的あるいは名称的に同一のものは、同一符号を付して示し、その説明を省略すると共に、以下、第２実施形態の特徴部分を中心に説明するものとする。
【００５４】
図８は、第２実施形態におけるメイクアップテーブル３ｃを説明するための図である。
メイクアップテーブル３ｃは、人物の顔を構成する各部位に対応付けて各種のメイクアップ処理をアクセスする情報を記憶するもので、「人物の顔の部位」、「人物の属性：女性」、「人物の属性：男性」の各項目を有し、更に、この「人物の属性：女性」、「人物の属性：男性」の項目は「タッチ操作種類：なぞり」、「タッチ操作種類：シングルタップ」の項目に分かれている。なお、メイクアップテーブル３ｃの内容はユーザ操作によって任意に変更可能となっている。「人物の顔の部位」は、上述した第１実施形態と同様に、メイクアップ処理の対象となる顔の部位を記憶する項目で、図示の例は、“肌”、“目”、“眉毛”、“睫”、“眉”、“口”、“歯”を処理対象（選択候補）として記憶した場合を示している。
【００５５】
「人物の属性：女性」、「人物の属性：男性」は、人物の属性として性別毎及びタッチ操作の種類毎にメイクアップ処理をアクセスする情報を記憶する項目である。図示の例は、「人物の顔の部位」が“肌”の場合に「人物の属性：女性」の「タッチ操作種類：なぞり」に対応して、“肌処理（１）”を記憶し、その「タッチ操作種類：シングルタップ」に対応して、“なぞり”のタッチ操作とは異なる“肌処理（２）”を記憶した場合を示している。「人物の属性：男性」も同様に、「タッチ操作種類：なぞり」に対応して、“肌処理（１）”を記憶し、その「タッチ操作種類：シングルタップ」に対応して“肌処理（２）”を記憶した場合を示している。
【００５６】
また、「人物の顔の部位」が“目”の場合に、「人物の属性：女性」の「タッチ操作種類：なぞり」に対応して、“目処理（１）”を記憶し、その「タッチ操作種類：シングルタップ」に対応して、“なぞり”のタッチ操作とは異なる“目処理（２）”を記憶した場合を示している。また、「人物の属性：男性」の「タッチ操作種類：なぞり」に対応して、“目処理（３）”を記憶し、その「タッチ操作種類：シングルタップ」に対応して、“なぞり”のタッチ操作とは異なる“目処理（２）”を記憶した場合を示している。
【００５７】
なお、「人物の顔の部位」が“眉毛”、“睫”、“口”、“歯”の場合には、第１実施形態と同様に、タッチ操作の種類に拘わらず、「人物の属性：女性」、「人物の属性：男性」別にメイクアップ処理を記憶するようにしている。すなわち、「人物の顔の部位」が“眉毛”の場合に、「人物の属性：女性」に対応して、“眉毛処理（１）”を記憶し、「人物の属性：男性」に対応して、“眉毛処理（２）”を記憶した場合を示している。「人物の顔の部位」が“睫”の場合に、「人物の属性：女性」に対応して、“睫処理”のメイクアップ処理を記憶し、「人物の属性：男性」に対応して、メイクアップ処理を記憶していない場合を示している。「人物の顔の部位」が“口”の場合に、「人物の属性：女性」に対応して、“口処理（１）”を記憶し、「人物の属性：男性」に対応して、“口処理（２）”を記憶している。「人物の顔の部位」が“歯”の場合に、「人物の属性：女性」、「人物の属性：男性」に対応して、共通の処理として“歯処理”を記憶している。なお、上述した各種のメイクアップ処理の内容については、第１実施形態の場合と同様である（図４参照）。
【００５８】
図９は、第２実施形態におけるメイクアップ処理（図５のステップＡ６）を詳述するためのフローチャートである。なお、第２実施形態においても図５のフローと同様の動作を行うようにしているため、その詳細な説明は省略するものとする。また、第２実施形態においては、図６のステップＢ６、Ｂ７に代えて図９のステップＣ６、Ｃ７とした点が異なり、その他は基本的に同様であるため、以下、第２実施形態の特徴部分を中心に説明するものとする。
【００５９】
先ず、制御部１は、人物の顔を含む画像が表示されている状態において、そのライブビュー画面へのタッチ操作が行われた際に、そのタッチ位置が人物の顔領域内であれば（ステップＣ１でＹＥＳ）、その人物の属性（性別）を判別（ステップＣ３）すると共に、顔内のどの部位がタッチされたのかを判別する（ステップＣ４）。そして、今回のタイミングで判別した部位が前回のタイミングで判別した部位と同一であれば（ステップＣ５でＹＥＳ）、タッチ操作の種類として、なぞり操作が行われたのか、シングルタップ操作が行われたのかを判別する（ステップＣ６）。そして、タッチ操作の同一性を判断するために、今回のタイミングで判別したタッチ操作の種類が前回のタイミングで判別したタッチ操作の種類と同一であるかを調べる（ステップＣ７）。
【００６０】
ここで、前回の部位と異なる場合（ステップＣ５でＮＯ）、又はタッチ操作の種類が前回と異なる場合には（ステップＣ７でＮＯ）、図６のフローと同様に、タッチ操作が継続中であるかを調べるが（ステップＣ２）、いま、前回のタッチ操作の種類と同一であれば（ステップＣ７でＹＥＳ）、上述の判別結果（人物の属性、顔の部位、タッチ操作の種類）に基づいて、メイクアップテーブル３ｃを参照して該当するメイクアップ処理を検索する（ステップＣ８）。ここで、該当するメイクアップ処理が無ければ（ステップＣ９でＮＯ）、ステップＣ２に移るが、該当するメイクアップ処理が有れば（ステップＣ９でＹＥＳ）、ステップＣ１０に移り、第１実施形態と同様に、タッチ操作時にユーザの指によって隠れている画像部分を別ウィンドウ内に拡大表示させると共に、該当するメイクアップ処理の内容を文字列メッセージで案内表示させる。なお、タッチ操作の種類が“なぞり”の場合には、指の移動に追従して別ウィンドウの表示内容も変化するようになる。
【００６１】
以下、第１実施形態と同様に、該当するメイクアップ処理を実行する（ステップＣ１１）と共に、ライブビュー画像に代えてメイクアップ後の画像に切り替え表示させる（ステップＣ１２）。そして、タッチ操作は開放されたか（指が離されたか）を調べ（ステップＣ１３）、タッチ操作の継続中であれば（ステップＣ１３でＮＯ）、タッチ操作が解放されるまで待機状態となるが、タッチ操作が開放されると（ステップＣ１３でＮＯ）、上述の別ウィンドウ表示及び案内表示を解除（消去）する処理（ステップＣ１４）を行った後、図９のフローから抜ける。
なお、タッチ操作が“シングルタップ”の場合にメイクアップ処理を実行する位置は、タッチ位置を基点として連続すると判別される範囲に対して実行する。例えば、目処理（２）の場合は、目の内側の白目部分全体に対して白目の充血を軽減するメイクアップ処理を実行する。また、タッチ操作が“なぞり”の場合は、上述の実施形態１と同様に連続して移動するタッチ位置であるなぞりの軌跡にメイクアップ処理を実行する。
【００６２】
以上のように、第２実施形態において制御部１は、タッチ表示部６に人物の顔を含む画像が表示されている状態においてタッチ操作が行われた場合に、タッチ操作により指定された顔の部位が同一であっても、タッチ操作の種類が異なる場合にそのタッチ操作の種類に応じて異なる画像処理（メイクアップ処理）をその顔の部位に対して実行するようにしたので、ユーザにあってはタッチ操作の種類を変えるだけで所望するメイクアップを同じ部位に対して得ることができる。
【００６３】
なお、上述した第２実施形態においては、タッチ操作の種類として、“なぞり”、“シングルタップ”を例示したが、それに限らず、マルチタッチ時における指の本数などの違いをタッチ操作の種類としてもよい。
【００６４】
上述した各実施形態において制御部１は、撮像部５により撮像された画像がタッチ表示部６にライブビュー画像として表示されている状態において、この撮像画像に対してメイクアップ処理を実行するようにしたが、ＳＤカードなどに記録保存されている撮影済み画像（記録画像）に対してメイクアップ処理を実行するようにしてもよい。この場合、記録画像を読み出して再生表示させている状態において、この記録画像内において、タッチ操作のタッチ位置によって指定される人物の顔の部位を判別し、この顔の部位に応じて異なるメイクアップ処理をその部位に対して実行するようにすればよい。これによって記録保存されている画像に対しても人物の顔を好みに応じてメイクアップすることができる。
この場合、メイクアップ処理された画像は、記録保存されている画像とは別の画像として記録保存されることが望ましい。
【００６５】
上述した各実施形態においては、タッチ操作のタッチ位置によって指定される人物の顔の部位を判別して、その部位に応じて異なるメイクアップ処理をその部位に対して実行するようにしたが、タッチ操作のタッチ位置が人物の顔領域内であるか否かを判別し、その人物の顔領域内であるか否かに応じてメイクアップ処理をその顔領域に対して実行したり、メイクアップ処理を実行しないようにしたりするようにしてもよい。また、人物の顔領域内であるか否かに応じて異なる画像処理を施すようにしてもよい。これによってタッチ操作のタッチ位置が人物の顔領域内からその領域外に跨ったとしても、顔領域内だけを正確によりきめ細かく画像処理することが可能となる。
【００６６】
上述した各実施形態においては、人物の顔の部位として、“肌”、“目”、“眉毛”、“睫”、“眉口”、“歯”を処理対象（選択候補）とした場合を例示したが、その他として、“鼻”、“額”などであってもよく、その部位に対応して、例えば、鼻を高くするメイクアップ処理、額を丸くするメイクアップ処理を実行可能としてもよい。
【００６７】
上述した各実施形態においては、「部位内の位置」として、“目の内側”、“目の外側”を例示したが、これに限らず、例えば、部位が“肌”の場合、肌の中の鼻筋を肌内の位置として判別し、人物が女性の場合には鼻筋が消えないように柔らかくし、男性の場合は逆に鼻筋がくっきりするようなメイクアップ処理を行うようにしてもよい。また、「部位内の状態」も任意であり、例えば、部位が目（瞳）の場合、標準サイズに対する目（瞳）の大きさを「部位内の状態」とし、標準サイズよりも小さければ、目（瞳）をその標準サイズよりも大きめにするようにしてもよい。
【００６８】
上述した各実施形態においては、メイクアップ処理を性別に拘わらずに実行するようにしたが、女性に対してのみメイクアップ処理を実行するようにしてもよい。
【００６９】
上述した各実施形態においては、人物の属性として、性別を例示したが、老若を判別し、老年の場合には若く見える方向に、若年の場合には逆に大人びて見える方向にメイクアップ処理を実行するようにしてもよい。また、その他の人物の属性としては、ヘヤースタイルなどであってもよい。
【００７０】
また、上述した各実施形態においては、撮像装置（デジタルカメラ）に適用した場合を示したが、これに限らず、パーソナルコンピュータ、ＰＤＡ（個人向け携帯型情報通信機器）、タブレット端末装置、スマートフォンなどの携帯電話機、電子ゲーム、音楽プレイヤーなどであってもよく、画像再生専用装置であってもよい。
【００７１】
また、上述した各実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００７２】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
人物の顔を含む画像を表示する表示手段とタッチ操作手段とを備える画像処理装置であって、
前記タッチ操作手段上でのタッチ操作を検出するタッチ検出手段と、
前記表示手段に表示されている人物の顔を含む画像内において、前記タッチ検出手段により検出されるタッチ操作のタッチ位置が人物の顔領域内であるか否かを判別又はそのタッチ位置によって指定される顔の部位を判別する判別手段と、
前記判別手段によって判別される人物の顔領域内であるか否か又は顔の部位に応じて異なる画像処理をその顔領域又は部位に対して実行する画像処理手段と、
を備えることを特徴とする。
（請求項２）
請求項２に記載の発明は、請求項１に記載の画像処理装置において、
前記判別手段は、前記タッチ検出手段により検出されるタッチ操作のタッチ位置が人物の顔領域内であるか否かを判別又はそのタッチ位置によって指定される顔の部位を判別する他に、前記顔の部位を判別した場合にその部位内の位置又は状態を、更に判別し、
前記画像処理手段は、前記判別手段によって判別される人物の顔領域内であるか否か又は顔の部位とその部位内の位置又は状態に応じて異なる画像処理をその顔領域又は部位に対して実行する、
ことを特徴とする。
（請求項３）
請求項３に記載の発明は、請求項１に記載の画像処理装置において、
前記画像処理手段は、前記タッチ検出手段により検出されるタッチ操作の種類が同一であっても、前記判別手段により判別される人物の顔領域内であるか否か又は顔の部位に応じて異なる画像処理をその顔領域又は部位に対して実行する、
ことを特徴とする。
（請求項４）
請求項４に記載の発明は、請求項１に記載の画像処理装置において、
前記画像処理手段は、前記判別手段により判別される人物の顔領域内であるか否か又は顔の部位が同一であっても、前記タッチ検出手段により検出されるタッチ操作の種類が異なる場合にそのタッチ操作の種類に応じて異なる画像処理をその顔領域又は部位に対して実行する、
ことを特徴とする。
（請求項５）
請求項５に記載の発明は、請求項１に記載の画像処理装置において、
前記判別手段は、前記タッチ検出手段により検出されるタッチ操作のタッチ位置が人物の顔領域内であるか否かを判別又はそのタッチ位置によって指定される顔の部位を判別する他、その人物の属性を更に判別し、
前記画像処理手段は、前記判別手段により判別された人物の顔領域内であるか否か又は顔の部位と人物の属性に応じて異なる画像処理をその顔領域又は部位に対して実行する又はその実行を禁止する、
ことを特徴とする。
（請求項６）
請求項６に記載の発明は、請求項１乃至５のいずれか１項に記載の画像処理装置において、
前記表示手段に表示されている人物の顔を含む画像内から人物の顔を検出する顔検出手段と、
前記顔検出手段によって検出される人物の顔を前記表示手段に拡大表示する制御を行う第１の表示制御手段と、
更に備える、
ことを特徴とする。
（請求項７）
請求項７に記載の発明は、請求項１乃至６のいずれか１項に記載の画像処理装置において、
前記表示手段上において、前記タッチ検出手段により検出されるタッチ操作のタッチ位置とは異なる位置に、前記画像処理手段が実行する画像処理の内容を前記表示手段に表示する制御を行う第２の表示制御手段を、更に備える、
ことを特徴とする。
（請求項８）
請求項８に記載の発明は、請求項１乃至７のいずれか１項に記載の画像処理装置において、
前記表示手段上において、前記タッチ検出手段により検出されるタッチ操作のタッチ位置とは異なる位置に、前記タッチ検出手段により検出されるタッチ操作のタッチ位置を含む顔の部分を前記表示手段に表示する制御を行う第３の表示制御手段を、更に備える、
ことを特徴とする。
（請求項９）
請求項９に記載の発明は、請求項１乃至８のいずれか１項に記載の画像処理装置において、
前記判別手段は、前記検出手段により検出されるタッチ操作のタッチ位置が人物の顔から外れた他の位置であるか否かを、更に判別し、
前記画像処理手段は、前記判別手段によってタッチ位置が人物の顔から外れた他の位置であることが判別された場合に、前記画像処理の実行を禁止する、
ことを特徴とする。
（請求項１０）
請求項１０に記載の発明は、請求項１乃至９のいずれか１項に記載の画像処理装置において、
人物の顔を撮像する撮像手段を、更に備え、
前記表示手段は、前記撮像手段により撮像された人物の顔を含む画像を表示し、
前記判別手段は、前記表示手段に表示されている撮像画像内において、前記タッチ検出手段により検出されるタッチ操作のタッチ位置が人物の顔領域内であるか否かを判別又はそのタッチ位置によって指定される顔の部位を判別する、
ことを特徴とする。
（請求項１１）
請求項１１に記載の発明は、請求項１乃至９のいずれか１項に記載の画像処理装置において、
前記表示手段は、記録されている画像を表示し、
前記判別手段は、前記表示手段に表示されている記録画像内において、前記検出手段により検出されるタッチ操作のタッチ位置が人物の顔領域内であるか否かを判別又はそのタッチ位置によって指定される顔の部位を判別する、
ことを特徴とする。
（請求項１２）
請求項１２に記載の発明は、
人物の顔を含む画像を表示する表示手段とタッチ操作手段とを備える画像処理装置であって、
前記タッチ操作手段上でのタッチ操作を検出する検出手段と、
前記表示手段に表示している人物の顔を含む画像内において、前記検出手段により検出されるタッチ操作のタッチ位置によって指定される人物の属性を判別する判別手段と、
前記判別手段により判別される人物の属性に応じて異なる画像処理をその人物の顔に対して実行する画像処理手段と、
ことを特徴とする。
（請求項１３）
請求項１３に記載の発明は、請求項１２に記載の画像処理装置において、
前記判別手段は、前記タッチ検出手段により検出されるタッチ操作のタッチ位置によって指定される人物の顔の部位を更に判別し、
前記画像処理手段は、前記判別手段により判別される人物の属性とその顔の部位に応じて異なる画像処理をその顔の部位に対して実行する、
ことを特徴とする。
（請求項１４）
請求項１４に記載の発明は、
人物の顔を含む画像を表示する表示手段とタッチ操作手段とを備える画像処理装置における画像処理方法であって、
前記タッチ操作手段上でのタッチ操作を検出する処理と、
前記表示手段に表示されている人物の顔を含む画像内において、人物の顔を含む画像内において、前記検出されるタッチ操作のタッチ位置が人物の顔領域内であるか否かを判別又はそのタッチ位置によって指定される顔の部位を判別する処理と、
前記判別される人物の顔領域内であるか否か又は顔の部位に応じて異なる画像処理をその顔領域又は部位に対して実行する処理と、
を含むことを特徴とする。
（請求項１５）
請求項１５に記載の発明は、
人物の顔を含む画像を表示する表示手段とタッチ操作手段とを備える画像処理装置のコンピュータに対して、
前記タッチ操作手段上でのタッチ操作を検出する機能と、
前記表示手段に表示されている人物の顔を含む画像内において、人物の顔を含む画像内において、前記検出されるタッチ操作のタッチ位置が人物の顔領域内であるか否かを判別又はそのタッチ位置によって指定される顔の部位を判別する機能と、
前記判別される人物の顔領域内であるか否か又は顔の部位に応じて異なる画像処理をその顔領域又は部位に対して実行する機能と、
を実現させるためのプログラムである。
（請求項１６）
請求項１６に記載の発明は、
人物の顔を含む画像を表示する表示手段とタッチ操作手段とを備える画像処理装置における画像処理方法であって、
前記タッチ操作手段上でのタッチ操作を検出する処理と、
前記表示手段に表示している人物の顔を含む画像内において、前記検出されるタッチ操作のタッチ位置によって指定される人物の属性を判別する処理と、
前記判別される人物の属性に応じて異なる画像処理をその人物の顔に対して実行する処理と、
を含むことを特徴とする。
（請求項１７）
請求項１７に記載の発明は、
人物の顔を含む画像を表示する表示手段とタッチ操作手段とを備える画像処理装置のコンピュータに対して、
前記タッチ操作手段上でのタッチ操作を検出する機能と、
前記表示手段に表示されている人物の顔を含む画像内において、前記検出されるタッチ操作のタッチ位置によって指定される人物の属性を判別する機能と、
前記判別される人物の属性に応じて異なる画像処理をその人物の顔に対して実行する機能と、
を実現させるためのプログラムである。
【符号の説明】
【００７３】
１  制御部
２  電源部
３  記憶部
３ａ  プログラムメモリ
３ｂ  ワークメモリ
３ｃ  メイクアップテーブル
４  操作部
５  撮像部
６  タッチ表示部
６ａ  表示部
６ｂ  タッチ操作部
【図１】
2017004258.tif 000003
【図２】
2017004258.tif 000004
【図３】
2017004258.tif 000005
【図４】
2017004258.tif 000006
【図５】
2017004258.tif 000007
【図６】
2017004258.tif 000008
【図７】
2017004258.tif 000009
【図８】
2017004258.tif 000010
【図９】
2017004258.tif 000011